(57)【要約】【課題】  接続される複数のモデムの累積通信時間を把握し、モデム間での累積通信時間のバラつきを低減し、特定のモデムの累積通信時間が増大することによる早期機能低下・劣化を防止し、モデムシステム全体としての長期間安定運用、及び、寿命予測の容易化を可能としたモデム選択制御装置を提供する。【解決手段】  複数のモデムの中から、通信に使用するモデムを選択して接続する制御を行うモデム選択制御装置は、前記複数のモデム毎の通信データの有無を識別する通信監視手段と、該通信監視手段からの情報に基づき累積通信時間を記憶する通信時間記憶手段と、該通信時間記憶手段からの情報に基づき通信に使用するモデムを選択するモデム選択処理手段と、該モデム選択処理手段によって選択されたモデムを該通信データの通信で使用するために接続するモデム接続手段と、を有することを特徴とする。【選択図】  図１
2014033388.tif 000002
【特許請求の範囲】
【請求項１】
複数のモデムの中から、通信に使用するモデムを選択して接続する制御を行うモデム選択制御装置であって、
前記複数のモデム毎の通信データの有無を識別する通信監視手段と、
該通信監視手段からの情報に基づき累積通信時間を記憶する通信時間記憶手段と、
該通信時間記憶手段からの情報に基づき通信に使用するモデムを選択するモデム選択処理手段と、
該モデム選択処理手段によって選択されたモデムを該通信データの通信で使用するために接続するモデム接続手段と、
を有することを特徴とするモデム選択制御装置。
【請求項２】
該複数のモデムが通信に使用された回数をモデム毎に記憶する使用回数記憶手段を有し、
前記モデム選択処理手段は、前記通信時間記憶手段と該使用回数記憶手段からの情報に基づき通信に使用するモデムを選択する、
ことを特徴とする請求項１に記載のモデム選択制御装置。
【請求項３】
前記モデム選択処理手段は、前記複数のモデムの中から、前記通信時間記憶手段に記憶された累積通信時間が最も短いモデムを選択する、ことを特徴とする請求項１又は２に記載のモデム選択制御装置。
【請求項４】
前記モデム選択処理手段は、前記複数のモデムの中から、前記使用回数記憶手段からの使用回数が最も少ないモデムを選択する、ことを特徴とする請求項２に記載のモデム選択制御装置。
【請求項５】
前記モデム選択処理手段は、前記通信時間記憶手段からの情報に基づいて１つのモデムを選択することができない場合、所定の優先順位によりモデムを選択する、ことを特徴とする請求項３に記載のモデム選択制御装置。
【請求項６】
前記モデム選択処理手段は、前記使用回数記憶手段からの情報に基づいて１つのモデムを選択することができない場合、所定の優先順位によりモデムを選択する、ことを特徴とする請求項４に記載のモデム選択制御装置。
【請求項７】
請求項１に記載のモデム選択制御装置を使用する、複数のモデムの中から通信に使用するモデムを選択して接続するモデム選択制御方法であって、
該複数のモデム毎の通信データの有無を識別し、
該通信データが有る場合には通信時間をカウントして累積の通信時間をモデム毎に記憶し、
該累積通信時間に基づき通信に使用するモデムを選択し、
該選択されたモデムを通信データの通信で使用するために接続する、
ことを特徴とするモデム選択制御方法。
【請求項８】
請求項２に記載のモデム選択制御装置を使用する、複数のモデムの中から通信に使用するモデムを選択して接続するモデム選択制御方法であって、
該複数のモデム毎の通信データの有無を識別し、
該通信データが有る場合には通信時間をカウントして累積の通信時間をモデム毎に記憶し、
該複数のモデムが通信に使用された回数をモデム毎に記憶し、
該記憶された累積通信時間と前記使用回数に基づき通信に使用するモデムを選択し、
該累積通信時間に基づき通信に使用するモデムを選択し、
該選択されたモデムを通信データの通信で使用するために接続する、
ことを特徴とするモデム選択制御方法。
【発明の詳細な説明】
【技術分野】
【０００１】
本発明は、モデム選択制御装置及びモデム選択制御方法に関し、特に、複数のモデムが接続されるモデム選択制御装置において、通信要求があった場合に、通信に供するモデムを複数のモデムから選択し接続するモデム選択制御装置及びモデム選択制御方法に関するものである。
【背景技術】
【０００２】
従来、一般的に、公衆電話回線などの有線回線や、携帯電話などの無線回線に接続され、デジタルデータの授受を行う為の機器としてモデムが知られている。前記モデムは、１対１、または、１対多接続で通信が可能であるが、モデム自身、接続機能を持たない為、通常、接続元と接続先とを結ぶ機能を持ったモデム選択制御装置にて接続が制御される。
【０００３】
モデム制御装置では、接続先モデムを選択する処理において、従来、複数あるモデム中からモデムに割り付けられたＩＤの若い順に、例えば１番から、選択していくなどの画一的なアルゴリズムが使用されている。この為、モデム毎の使用率に偏りが生じ、モデムの寿命予測ができず、特定のモデムの故障発生率が高くなるという課題があった。
【０００４】
特許文献１では、複数チャンネルを有するダイヤルアップルータにおいて、アクセスの頻度に応じ、稼働しているチャネルを制限する為に、各チャネルの累積通信時間の一番短いチャネルを選択して電源をＯＮする事で、特定チャネルへのアクセスの偏りを回避し、故障発生率を下げる手法が開示されている。
【先行技術文献】
【特許文献】
【０００５】
【特許文献１】特開平１１−３３１４２７号公報
【発明の概要】
【発明が解決しようとする課題】
【０００６】
しかしながら、上述の特許文献１に開示された従来技術では、単純にダイヤルアップルータへの着信から切断までを通信時間とし、モデムを流れるデータの中身を監視対象としていない。従って、モデムがデータ通信をしていない場合でも、累積通信時間として加算されてしまい、実際に通信している通信時間に基づく接続制御は行われていない。
【０００７】
そこで、本発明では、複数のモデム間での累積通信時間のバラつきを低減し、特定のモデムの累積通信時間が増大することによる早期機能低下・劣化を防止し、モデムシステム全体としての長期間安定運用、及び、寿命予測の容易化を実現することができるモデム選択制御装置及びモデム選択制御方法を提供する。
【課題を解決するための手段】
【０００８】
上記目的を達成するため、本発明のモデム選択制御装置は、複数のモデムの中から、通信に使用するモデムを選択して接続する制御を行うモデム選択制御装置であって、前記複数のモデム毎の通信データの有無を識別する通信監視手段と、該通信監視手段からの情報に基づき累積通信時間を記憶する通信時間記憶手段と、該通信時間記憶手段からの情報に基づき通信に使用するモデムを選択するモデム選択処理手段と、該モデム選択処理手段によって選択されたモデムを該通信データの通信で使用するために接続するモデム接続手段と、を有することを特徴とする。
【発明の効果】
【０００９】
本発明によれば、複数のモデム間での累積通信時間のバラつきを低減し、特定のモデムの累積通信時間が増大することによる早期機能低下・劣化を防止し、モデムシステム全体としての長期間安定運用、及び、寿命予測の容易化を実現することができるモデム選択制御装置及びモデム選択制御方法を提供することができる。
【図面の簡単な説明】
【００１０】
【図１】実施例１のモデム選択制御装置のブロック図と複数のモデムが接続されたシステム図である。
【図２】本発明のモデム選択制御装置における累積通信時間をカウントする処理フローである。
【図３】実施例１のモデム選択制御装置におけるモデムを選択する処理フローである。
【図４】実施例２のモデム選択制御装置のブロック図と複数モデムが接続されたシステム図である。
【図５】実施例２のモデム選択制御装置におけるモデムを選択する処理フローである。
【発明を実施するための形態】
【００１１】
以下に、本発明の好ましい実施の形態を、添付の図面に基づいて詳細に説明する。
【実施例１】
【００１２】
以下に実施例１に係るモデム選択制御装置について詳述する。
図１は、実施例１のモデム選択制御装置３と周辺機器システムの模式図である。
【００１３】
モデム選択制御装置３は、実際のモデム＃１〜＃４を選択してモデムデータ１を接続するモデム接続部４（モデム接続手段）を有する。また、モデム＃１〜＃４に対するモデムデータ１を監視し、各モデムに対する通信データの有無を識別し、通信データが有る時間をモデム通信時間記憶部７へ通知する通信監視部６（通信監視手段）を有する。さらに、モデム通信監視部６からのモデム毎のデータ有無の信号に基づき、モデム毎の累積通信時間を記憶する通信時間記憶部７（通信時間記憶手段）と、通信要求信号２を受け、通信時間記憶部７の情報に基づき最適なモデムを抽出するモデム選択処理部５（モデム選択処理手段）と、を有する。モデム＃１〜＃４は、９で表される有線回線網または無線回線網（電話回線等の公衆回線）に接続される。
【００１４】
モデムデータ１と通信要求信号２は、図１及び後述する実施例２の図４において、１つずつが記載されているが、本発明はそのような構成に限定されることはない。通常は、モデムデータと通信要求信号の対が１つの装置から出力され、モデムデータと通信要求信号の対が複数個、モデム選択制御装置３に接続されている。接続されている複数の装置の内、モデム通信することを要求する装置は、モデム選択制御装置３に通信要求信号を出力し、モデム選択制御装置３によりモデムを割り当られた場合に、そのモデムを介して通信が可能となる。
【００１５】
以下、図１、２、３を参照しながら、本発明のモデム選択制御装置によるモデム制御方法の実施形態を詳述する。
【００１６】
図１において、モデム選択制御装置３内にて、モデムを使用する通信の開始を要求する通信要求２がモデム選択処理部５へ入力される。モデム選択処理部５は、通信時間記憶部７から、各モデム＃１〜＃４の累積通信時間を取得する。累積通信時間について図２のフローチャートを用いて詳述する。
モデム＃１〜＃４によって送受信されるモデムデータ１を監視する通信監視部６は、図２に示すフローチャートに従って累積通信時間をカウントするかしないかを通信時間記憶部７へ通知する。
【００１７】
Ｓ１において、各モデム＃１〜＃４のモデムデータ１が送受信されているかどうかを判断し、モデムデータがある場合はＳ２へ移行し、モデムデータが無い場合はＳ３へ移行する。
【００１８】
Ｓ２では、各モデムの累積通信時間のカウントを継続するように通信時間記憶部７へ通知する。
【００１９】
Ｓ３では、各モデムの累積通信時間のカウントを停止するように通信時間記憶部７へ通知する。
【００２０】
以上の手順により、モデムデータが有る場合のみ各モデムの累積通信時間が通信時間記憶部７にてカウントされ記憶される。
【００２１】
また、モデム選択処理部５は、使用回数記憶部８から、各モデムの使用回数を取得する。選択処理部５は、前述した通信時間記憶部７と使用回数記憶部８から得た情報により、図３に示すフローチャートの流れに従って使用するモデム１つをモデム＃１〜＃４の中から選択する。
【００２２】
図３のフローチャートを用いて、モデムを選択する手順を詳述する。
【００２３】
Ｓ２１において、非通信状態のモデムの中で、最も小さい累積通信時間を示す１つのモデムである最小累積時間モデムを通信時間記憶部７に記憶されているデータに基づいて選択し、Ｓ２２へ進む。
【００２４】
Ｓ２２において、該当する１つのモデムが選択できたどうかを判断し、該当する１つのモデムを選択できた場合はＳ２６へ移行し、該当する１つのモデムを選択できなかった場合（複数のモデムの累積使用時間が同一である等）は、Ｓ２５へ移行する。
【００２５】
Ｓ２５においては、非通信状態であるモデムの中で所定の優先順位に従い１つのモデムを選択し、Ｓ２７へ進む。ここでは、所定の優先順位は最も若い番号であり、最も若い番号のモデム（図３では、モデム＃１として例示）を選択し、Ｓ２７へ進む。
【００２６】
Ｓ２６においては、Ｓ２２と、Ｓ２４の判断結果から該当するモデムを選択し、Ｓ２７へ進む。
【００２７】
Ｓ２７では、選択されたモデムの使用回数を１回増やし、使用回数記憶部８にて記憶する。
【００２８】
以上の処理により、複数のモデム間での累積通信時間のバラつきを低減し、特定のモデムの累積通信時間が増大することによる早期機能低下・劣化を防止し、モデムシステム全体としての長期間安定運用、及び、寿命予測の容易化を実現することができる。
【実施例２】
【００２９】
以下に実施例２に係るモデム選択制御装置について詳述する。図４は、実施例２のモデム選択制御装置３と周辺機器システムの模式図である。
【００３０】
実施例１に対し、本実施例のモデム選択制御装置３は、モデム毎の使用回数を記憶する使用回数記憶部８を有することと、モデム選択処理部５が、通信要求信号２を受けて、通信時間記憶部７と使用回数記憶部８の情報に基づき最適なモデムを抽出することが異なる。その他については、実施例１と同様の構成を有する。
【００３１】
以下、図４、５を参照しながら、本発明のモデム選択制御装置によるモデム制御方法の実施形態を詳述する。
【００３２】
図４において、モデム選択制御装置３内にて、モデムを使用する通信の開始を要求する通信要求２がモデム選択処理部５へ通知される。モデム選択処理部５は、通信時間記憶部７から、各モデム＃１〜＃４の累積通信時間を取得する。累積通信時間について図２のフローチャートで記載した通りであるので、説明を省略する。
【００３３】
また、モデム選択処理部５は、前述した通信時間記憶部７から得た情報により、図５に示すフローチャートの流れに従って使用するモデム１つをモデム＃１〜＃４の中から選択する。
【００３４】
図５のフローチャートを用いて、モデムを選択する手順を詳述する。
【００３５】
Ｓ２１において、非通信状態のモデムの中で、最も小さい累積使用時間を示す１つのモデムである最小累積時間モデムを通信時間記憶部７に記憶されているデータに基づいて選択し、Ｓ２２へ進む。
【００３６】
Ｓ２２において、該当する１つのモデムが選択できたどうかを判断し、該当する１つのモデムを選択できた場合はＳ２６へ移行し、該当する１つのモデムを選択できなかった場合（複数のモデムの累積通信時間が同一である等）はＳ２３へ移行する。
【００３７】
Ｓ２３においては、最小の累積通信時間を示した複数のモデムについて、使用回数記憶部８から使用回数が最も少ないモデムを取得し、Ｓ２４へ進む。
【００３８】
Ｓ２４においては、該当モデムが取得できたかどうかの判断を行い、該当モデムが取得出来た場合はＳ２６へ移行し、該当モデムが取得出来なかった場合（複数のモデムの使用回数が同じ場合など）はＳ２５へ移行する。
【００３９】
Ｓ２５においては、非通信状態であるモデムの中で所定の優先順位に従い１つのモデムを選択し、Ｓ２７へ進む。ここでは、所定の優先順位は最も若い番号であり、最も若い番号のモデム（図３では、モデム＃１として例示）を選択し、Ｓ２７へ進む。
【００４０】
Ｓ２６においては、Ｓ２２の判断結果から該当するモデムを選択し、Ｓ２７へ進む。
【００４１】
Ｓ２７では、選択されたモデムの使用回数を１回増やし、使用回数記憶部８にて記憶する。
【００４２】
上述した本実施例の処理により、複数のモデム間での累積通信時間のバラつきを低減し、特定のモデムの累積通信時間が増大することによる早期機能低下・劣化を防止し、モデムシステム全体としての長期間安定運用、及び、寿命予測の容易化を実現することができる。
【符号の説明】
【００４３】
３・・・・モデム選択制御装置（モデム選択制御手段）
４・・・・モデム接続部（モデム接続手段）
５・・・・モデム選択処理部（モデム選択処理手段）
６・・・・通信監視部（通信監視手段）
７・・・・通信時間記憶部（通信時間記憶手段）
【図１】
2014033388.tif 000003
【図２】
2014033388.tif 000004
【図３】
2014033388.tif 000005
【図４】
2014033388.tif 000006
【図５】
2014033388.tif 000007